(57)【特許請求の範囲】
【請求項１】
粘着剤層を有した粘着シートを、その粘着剤が剥離シートに接するように重ねてなり、前記粘着シートに、その一部を切り離して所要の箇所に貼り付けて使用するためのラベル切り離し用スリットが複数並べて形成されたラベル用シートであって、
前記剥離シートに、前記ラベル切り離し用スリットによって囲まれる複数の領域を連続的に縦断するように前記剥離シートの一方の端縁から他方の端縁にかけて剥離シート部分除去用スリットが形成されており、その剥離シート部分除去用スリットから前記剥離シートの一部を除去することで前記粘着シートの粘着剤層のうち前記ラベル切り離し用スリットにより囲まれた領域の一部を露出させうるようにしたものにおいて、
前記粘着シートに、前記ラベル切り離し用スリットによって囲まれた領域以外の領域にあって、前記剥離シート部分除去用スリットに重ねて、前記粘着シートの端縁と前記ラベル切り離し用スリットとをつなぐミシン目を形成し、
前記剥離シートのうち前記剥離シート部分除去用スリットから切り離されて除去される領域内に、少なくとも前記ラベル切り離し用スリットと交差する位置に前記剥離シート部分除去用スリットに沿って延びる補助スリットを形成したことを特徴とするラベル用シート。
【請求項２】
粘着剤層を有した粘着シートを、その粘着剤が剥離シートに接するように重ねてなり、前記粘着シートに、その一部を切り離して所要の箇所に貼り付けて使用するためのラベル切り離し用スリットが複数並べて形成されたラベル用シートであって、
前記剥離シートに、その一方の端縁から前記ラベル切り離し用スリットのうち前記端縁とは反対側の端縁に最も近い位置にある前記ラベル切り離し用スリットと交差する位置まで剥離シート部分除去用スリットが形成されており、その剥離シート部分除去用スリットから前記剥離シートの一部を除去することで前記粘着シートの粘着剤層のうち前記ラベル切り離し用スリットにより囲まれた領域の一部を露出させうるようにしたものにおいて、
前記粘着シート及び前記剥離シートに、前記ラベル切り離し用スリットによって囲まれた領域以外の領域のうち前記一方の端縁とは反対側の端縁に最も近い位置において、前記剥離シート部分除去用スリットに連なるようにミシン目を形成し、
前記剥離シートのうち前記剥離シート部分除去用スリットから切り離されて除去される領域内に、少なくとも前記ラベル切り離し用スリットと交差する位置に前記剥離シート部分除去用スリットに沿って延びる補助スリットを形成したことを特徴とするラベル用シート。
【請求項３】
前記粘着シート及び前記剥離シートに形成された前記ミシン目は、前記剥離シート部分除去用スリットの延長線上に対してずれた位置に形成されているとともに、前記ラベル切り離し用スリットの近傍において曲線的に曲げられて前記ラベル切り離し用スリットおよび剥離シート部分除去用スリットとの交点に連続されていることを特徴とする請求項２に記載のラベル用シート。
【請求項４】
粘着剤層を有した粘着シートを、その粘着剤が剥離シートに接するように重ねてなり、前記粘着シートに、縦横にラベル切り離し用スリットを形成することで、そのラベル切り離し用スリットによって囲まれた領域をラベルとして切り離すことができるようにしたラベル用シートであって、
前記剥離シートには、前記ラベル切り離し用スリットのうち縦方向に形成されたものに対して所定間隔を隔てて沿うように、前記剥離シートの一方の端縁から他方の端縁にかけて剥離シート部分除去用スリットが形成されており、その剥離シート部分除去用スリットから前記剥離シートの一部を除去することで前記粘着シートの粘着剤層のうち前記ラベル切り離し用スリットにより囲まれた領域の一部を露出させうるようにしたものにおいて、
前記剥離シート部分除去用スリットは、前記一方の端縁近傍において前記縦方向のラベル切り離し用スリットに接近する傾斜部を有すると共に、その傾斜部の先端において前記ラベル切り離し用スリットとの交差点から前記剥離シートの端縁との間にはスリットが形成されていない破断可能な連続部を有しており、
前記剥離シートのうち前記剥離シート部分除去用スリットから切り離されて除去される領域内に、少なくとも前記ラベル切り離し用スリットのうち横方向に形成されたものと交差する位置に前記剥離シート部分除去用スリットに沿って延びる補助スリットを形成したことを特徴とするラベル用シート。
【発明の詳細な説明】
【技術分野】
【０００１】
本発明は、ラベル用シートに関する。
【背景技術】
【０００２】
従来より、ラベル用シートとしては、粘着剤層を有する粘着シートの粘着剤層を覆うように剥離シートが重ね合わされてなり、粘着シートにラベルが切り離し可能なスリットが形成されたものが知られている（特許文献１参照）。
このようなラベル用シートからラベルを剥がし取るには、例えば、ラベル用シートのうち、ラベルの角部近傍の領域を剥離シート側を内側にして湾曲させてラベルの角部だけを剥離シートから浮かせ、このラベルの角部を指で摘んで引っ張ることによりラベルを剥離シートから剥がし取るのであるが、その際、粘着材の粘着性が過度に強かったりラベルの弾発力が弱かったりすることなどにより、ラベルの角部が剥離シートから浮き上がりにくく、ラベルを剥がし取るきっかけを作ることが困難な場合がある。
【０００３】
そこで本出願人は、上記問題を解決すべく、特許文献２において、以下のような構成を提案した。すなわち、例えば図１０に示すように、粘着シート２０に形成された複数のラベル切り離し用スリット２２を縦断するように、剥離シート３０側に剥離シート部分除去用スリット３１を形成しておくとともに、粘着シート２０および剥離シート３０の端縁部からラベル切り離し用スリット２２に連なるように、ミシン目１１を形成しておく。また、剥離シート３０のうち粘着シート２０のラベル切り離し用スリット２２と重なる位置に、ミシン目１１と剥離シート部分除去用スリット３１とをつなぐ補助スリット３２を形成しておく。ラベル２３を引き剥がす際には、まず、ミシン目１１の両側を指で摘んでミシン目１１を開くようにして引っ張り、ラベル切り離し用スリット２２まで切り開く。そして、ミシン目１１とラベル切り離し用スリット２２との交点からは補助スリット３２に沿って剥離シート部分除去用スリット３１まで切り開く。その後、剥離シート３０を粘着シート２０から剥がし取る方向（剥離シート部分除去用スリット３１に沿う方向）に引っ張ると、剥離シート３０のうち図中右側部分を粘着シート２０から剥がし取ることができ、ラベル２３は一部が剥離シート３０に付着したまま、粘着剤層２１の一部が露出した状態となる（図１１および１２参照）。このような状態とすることで、ラベル２３は剥離シート３０から簡単に引き剥がし可能となるのである。
【０００４】
しかし上記構成のラベル用シート１０では、剥離シート３０の一部を粘着シート２０から剥がし取る際に、次のような不具合が懸念された。すなわち、粘着剤層２１の粘着力が強いと、ラベル用シート１０をその端縁部からミシン目１１に沿って切断し、、切断部の先端がラベル切り離し用スリット２２および補助スリット３２から剥離シート部分除去用スリット３１に繋がろうとする際に、図１３に示すようにラベル２３を破いてしまう可能性がある。
【特許文献１】特開平９−４８１８８号公報
【特許文献２】特許第３７７３５０３号公報
【発明の開示】
【発明が解決しようとする課題】
【０００５】
本発明は上記のような事情に基づいて完成されたものであって、ラベルやシートの一部を破ることなく、剥離シートの一部をラベルからスムースに剥がし取ることができるラベル用シートを提供することを目的とする。
【課題を解決するための手段】
【０００６】
上記の目的を達成するための手段として、請求項１の発明は、粘着剤層を有した粘着シートを、その粘着剤が剥離シートに接するように重ねてなり、前記粘着シートに、その一部を切り離して所要の箇所に貼り付けて使用するためのラベル切り離し用スリットが複数並べて形成されたラベル用シートであって、前記剥離シートに、前記ラベル切り離し用スリットによって囲まれる複数の領域を連続的に縦断するように前記剥離シートの一方の端縁から他方の端縁にかけて剥離シート部分除去用スリットが形成されており、その剥離シート部分除去用スリットから前記剥離シートの一部を除去することで前記粘着シートの粘着剤層のうち前記ラベル切り離し用スリットにより囲まれた領域の一部を露出させうるようにしたものにおいて、前記粘着シートに、前記ラベル切り離し用スリットによって囲まれた領域以外の領域にあって、前記剥離シート部分除去用スリットに重ねて、前記粘着シートの端縁と前記ラベル切り離し用スリットとをつなぐミシン目を形成し、前記剥離シートのうち前記剥離シート部分除去用スリットから切り離されて除去される領域内に、少なくとも前記ラベル切り離し用スリットと交差する位置に前記剥離シート部分除去用スリットに沿って延びる補助スリットを形成したところに特徴を有する。  
【０００７】
請求項２の発明は、粘着剤層を有した粘着シートを、その粘着剤が剥離シートに接するように重ねてなり、前記粘着シートに、その一部を切り離して所要の箇所に貼り付けて使用するためのラベル切り離し用スリットが複数並べて形成されたラベル用シートであって、前記剥離シートに、その一方の端縁から前記ラベル切り離し用スリットのうち前記端縁とは反対側の端縁に最も近い位置にある前記ラベル切り離し用スリットと交差する位置まで剥離シート部分除去用スリットが形成されており、その剥離シート部分除去用スリットから前記剥離シートの一部を除去することで前記粘着シートの粘着剤層のうち前記ラベル切り離し用スリットにより囲まれた領域の一部を露出させうるようにしたものにおいて、前記粘着シート及び前記剥離シートに、前記ラベル切り離し用スリットによって囲まれた領域以外の領域にあって、前記剥離シート部分除去用スリットに連なるようにミシン目を形成し、前記剥離シートのうち前記剥離シート部分除去用スリットから切り離されて除去される領域内に、少なくとも前記ラベル切り離し用スリットと交差する位置に前記剥離シート部分除去用スリットに沿って延びる補助スリットを形成したところに特徴を有する。
【０００８】
請求項３の発明は、請求項２に記載のラベル用シートであって、前記粘着シート及び前記剥離シートに形成された前記ミシン目は、前記剥離シート部分除去用スリットの延長線上に対してずれた位置に形成されているとともに、前記ラベル切り離し用スリットの近傍において曲線的に曲げられて前記ラベル切り離し用スリットおよび剥離シート部分除去用スリットとの交点に連続されているところに特徴を有する。
【０００９】
請求項４の発明は、粘着剤層を有した粘着シートを、その粘着剤が剥離シートに接するように重ねてなり、前記粘着シートに、縦横にラベル切り離し用スリットを形成することで、そのラベル切り離し用スリットによって囲まれた領域をラベルとして切り離すことができるようにしたラベル用シートであって、前記剥離シートには、前記ラベル切り離し用スリットのうち縦方向に形成されたものに対して所定間隔を隔てて沿うように、前記剥離シートの一方の端縁から他方の端縁にかけて剥離シート部分除去用スリットが形成されており、その剥離シート部分除去用スリットから前記剥離シートの一部を除去することで前記粘着シートの粘着剤層のうち前記ラベル切り離し用スリットにより囲まれた領域の一部を露出させうるようにしたものにおいて、前記剥離シート部分除去用スリットは、前記一方の端縁近傍において前記縦方向のラベル切り離し用スリットに接近する傾斜部を有すると共に、その傾斜部の先端において前記ラベル切り離し用スリットとの交差点から前記剥離シートの端縁との間にはスリットが形成されていない破断可能な連続部を有しており、  前記剥離シートのうち前記剥離シート部分除去用スリットから切り離されて除去される領域内に、少なくとも前記ラベル切り離し用スリットのうち横方向に形成されたものと交差する位置に前記剥離シート部分除去用スリットに沿って延びる補助スリットを形成したところに特徴を有する。
【発明の効果】
【００１０】
＜請求項１の発明＞
請求項１の発明によれば、ミシン目を挟んだ両側を指で摘んでミシン目を開くようにラベル用シートを引っ張ると、粘着シート及び剥離シートがミシン目に沿って破れ、ラベル切り離し用スリットまで切り開かれる。さらにラベル用シートを引っ張ると、剥離シートの一部が剥離シート部分除去用スリットによって切り離されつつラベル（粘着シート）から容易に剥がし取られて、ラベルの粘着剤層の一部だけが露出する。
【００１１】
この引き剥がし作業の際、希に、剥離シートがラベルからスムースに引き剥がされないことがあり、これを無理に引き剥がそうとして力を入れて引っ張ったり、剥離シート部分除去用スリットの方向とは異なる方向に引っ張ったりすると、ラベルやシートの一部が破れてしまう場合がある。しかし、本発明のラベル用シートによれば、剥離シートに、剥離シート部分除去用スリットに沿って補助スリットが形成されていることにより、思わぬ場所が破れてしまう可能性を低減させることができる。その機構は明らかではないが、おそらく、剥離シートのうち粘着シートから引き剥がしたい部分の幅方向全体を一気に引き剥がすよりも、まず剥離が開始される剥離シート部分除去用スリットから補助スリットまでの狭い幅を確実に引き剥がし、その後、剥離の勢いにのって補助スリットからラベルの端縁部までを引き剥がすようにする二段階剥離の形態とした方が、剥離部分全体を無理に引っ張らなくても確実に剥離可能となるため、ラベルやシートの破れを防ぐことができると考えられる。
【００１２】
また、上述したような破れは、剥離シート部分除去用スリットとラベル切り離し用スリットとが交差する位置で発生する可能性が高いが、本願発明では、補助スリットをその交差位置に設ける構成であるから、破れる可能性をより低減させることが可能となる。
【００１３】
このように、請求項１の発明によれば、ラベルやシートの一部を破ることなく、剥離シートの一部を確実にラベル（粘着シート）から剥離させることができる。
【００１４】
＜請求項２および請求項３の発明＞
請求項２の発明においても、請求項１の発明と同様に、ミシン目を挟んだ両側を指で摘んでミシン目を開くようにラベル用シートを引っ張ることにより、粘着シート及び剥離シートがミシン目に沿って破れ、ラベル切り離し用スリットまで切り開かれる。さらにラベル用シートを引っ張ると、剥離シートの一部が剥離シート部分除去用スリットによって切り離されつつラベル（粘着シート）から容易に剥がし取られて、ラベルの粘着剤層の一部だけが露出する。
【００１５】
しかも、剥離シートには、ラベル切り離し用スリットと交差する位置に剥離シート部分除去用スリットに沿って延びる補助スリットが形成されているから、思わぬ場所が破れてしまう可能性を低減させることができる。  
【００１６】
さらに、ラベル用シートを、粘着シートが手前となり、かつ、ミシン目が上部に位置するように配置したときに、ミシン目が剥離シート部分除去用スリットの延長線上に対して左側となる位置に設けられ、かつ、ラベル切り離し用スリットの近傍において曲線的に曲げられてラベル切り離し用スリットおよび剥離シート部分除去用スリットとの交点に連続される構成とする（請求項３の発明）ことにより、ミシン目の切断に伴うシートの切断方向を徐々に剥離シート除去部分側に向けて（剥離シートの剥離方向に）変化させることができるから、剥離シートの剥離作業がスムースに開始される。すなわち、切断部分の先端がラベル端へ達した場合にそのラベル端へかかる力の負担が軽減され、ラベルの破れをより効果的に防ぐことができる。
【００１７】
＜請求項４の発明＞
請求項４の発明によれば、連続部の両側を指で摘んでその連続部をを開くようにラベル用シートを引っ張ると、連続部が破断され、その勢いで剥離シート部分除去用スリットの傾斜部によって剥離シートが切り離されつつ一部がラベル（粘着シート）から容易に剥がし取られて、ラベルの粘着剤層の一部だけが露出する。
【００１８】
しかも、剥離シートに、横方向のラベル切り離し用スリットと交差する位置に剥離シート部分除去用スリットに沿って延びる補助スリットが形成されているから、上記発明と同様に、思わぬ場所が破れてしまう可能性を低減させることができる。
【発明を実施するための最良の形態】
【００１９】
以下、本発明の実施形態を添付図面に基づいて説明する。
＜第１実施形態＞
本発明の第１実施形態を図１ないし図４によって説明する。
【００２０】
まず、ラベル用シート１０の構成について説明する。
例えばＡ４サイズをなす矩形状の粘着シート２０には粘着剤が全面にわたって塗布されて粘着剤層２１が形成されている。この粘着剤層２１の全域を覆うようにＡ４サイズの剥離シート３０が粘着シート２０に重ね合わされ、両者が一体となって一枚のラベル用シート１０が構成されている。
【００２１】
粘着シート２０には、略矩形をなす複数のラベル用切り離しスリット２２が、粘着シート２０の長辺に沿って２列に並んで設けられている。このラベル用切り離しスリット２２に囲まれて、複数のラベル２３が、粘着シート２０から切り離し可能に形成されている。
【００２２】
剥離シート３０には、その一方の短辺側の端縁から他方の短辺側の端縁にまで延びかつ長辺と平行に剥離シート部分除去用スリット３１が形成されており、この剥離シート部分除去用スリット３１は、ラベル切り離し用スリット２２によって囲まれる各領域を連続的に縦断するように、各列に一本ずつ計２本が上下に形成されている。この剥離シート部分除去用スリット３１は、図１に示すように略矩形のラベル切り離し用スリット２２によって囲まれた領域のうち、例えば右端寄りの位置を縦断するように設けられている。
【００２３】
粘着シート２０のラベル切り離し用スリット２２によって囲まれる領域以外の領域のうち、前記剥離シート部分除去用スリット３１と重なる位置には、ミシン目１１が形成されている。
【００２４】
また、剥離シート３０のうち、該ラベル用シート１０の長辺方向に沿って形成されているラベル切り離し用スリット２２と、剥離シート部分除去用スリット３１との間には、これらのスリット２２，３１と平行かつ断続的に延びるように補助スリット３３が形成されている。この補助スリット３３は、ラベル用シート１０の短辺方向に沿って形成されているラベル切り離し用スリット２２と交差する位置、および、ラベル２３の短辺長さの中央位置に、等長さ・等間隔となるように形成されている。
【００２５】
次に、本実施形態のラベル用シート１０の作用及び効果について説明する。
粘着シート２０及び剥離シート３０の一方の短辺に形成されたミシン目１１の左右両側を指で摘んでミシン目１１を開くようにして引っ張ると、粘着シート２０及び剥離シート３０はミシン目１１に案内されて切断され、ラベル切り離し用スリット２２との交点まで切り開かれる。そのまま剥離シート部分除去用スリット３１に沿って剥離シート３０を粘着シート２０から剥がし取る方向に引っ張るのであるが、この時希に、剥離シート部分除去用スリット３１がスムースに切り離されずに、一瞬引っかかったような状態となる場合がある。しかし本実施形態のラベル用シート１０においては、このような場合に、まず剥離シート３０のうち剥離シート部分除去用スリット３１から補助スリット３３までの部分が小さな力で粘着シート２０から引き剥がされる。このように一旦引き剥がしが開始されると、残りの部分はひき続いて容易に引き剥がし可能となるから、その後補助スリット３３からラベル切り離し用スリット２２までが引き剥がされる（図３参照）。
【００２６】
このようにして剥離シートの一部を剥離シート部分除去用スリットに沿って粘着シートから剥がし取っていくと、ラベル用シート１０に１列に並んで形成された複数のラベル２３について、剥離シート部分除去用スリット３１に沿って剥離シート３０を剥がし取ることができる。この結果、これらのラベル２３は全て、剥離シート３０に付着したまま、粘着剤層２１の一部が露出する状態となる（図４参照）。
【００２７】
これらのラベル２３を例えば封筒等に貼り付ける場合には、粘着剤層２１の一部を露出させたラベル２３のうち、剥離シート３０が残存している部分を持ちながら、露出した粘着剤層２１を所要の箇所に貼り付ける。その後、ラベル切り離し用スリット２２に沿ってラベル２３を粘着シート２０から切り離しながら、剥離シート３０の残部をラベル２３から剥離し、粘着剤層２１を露出させ、所要の箇所にラベル２３を貼り付ける。複数のラベル２３について上記と同様の作業を繰り返すことにより、連続的にラベル２３を貼り付けることができる。
【００２８】
このように本実施形態では、補助スリット３３を設けることにより、仮に剥離シートをスムースに剥離できなかった場合でも、ラベル２３やラベル用シート１０の一部を破ることなく確実に剥離シート３０の一部を粘着シート２０から剥離させることができる。
【００２９】
＜第２実施形態＞
次に、本発明の第２実施形態を図５および図６によって説明する。
第１実施形態との相違は、剥離シート部分除去用スリット３１が、剥離シート３０の図１中の下端縁から上端縁にもっとも近い位置にあるラベル切り離し用スリット２２と交差する位置まで設けられている点、および、剥離シート部分除去用スリット３１の延長線上より図中左側に、粘着シート２０及び剥離シート３０の短辺側の端縁から、ラベル切り離し用スリット２２と剥離シート部分除去用スリット３１との交点にかけてミシン目１１が形成されているところにある。なお、このミシン目１１はラベル切り離し用スリット２２近傍において曲線的に曲げられつつラベル切り離し用スリット２２につながるように形成されている（図５参照）。
【００３０】
この他は前記第１実施形態と同様であるので、前記第１実施形態と同一部分には同一符号を付して重複する説明を省略する。
【００３１】
第２実施形態の作用及び効果を説明する。
粘着シート２０及び剥離シート３０の一方の短辺に形成されたミシン目１１の左右両側を指で摘んでミシン目１１を開くようにして引っ張ると、粘着シート２０及び剥離シート３０はミシン目１１に案内されて切断される。このとき、ミシン目１１は曲線的に曲げられつつラベル切り離し用スリット２２とつながるように形成されているため、ミシン目１１の切断に伴うラベル用シート１０の切断方向を、剥離シート３０を粘着シート２０から剥離させる方向に向けて徐々に変化させることができ、これにより、剥離シート３０の一部除去作業がスムースに開始される。
【００３２】
しかも、剥離シート３０に、ラベル切り離し用スリット２２と交差する位置に剥離シート部分除去用スリット３１に沿って延びる補助スリット３３が形成されているから、上記実施形態と同様に、思わぬ場所が破れてしまう可能性を低減させることができる。
【００３３】
なお、その他の作用及び効果については第１実施形態と同様であるため重複する説明を省略する。
【００３４】
＜第３実施形態＞
次に、本発明の第３実施形態を図７ないし図９によって説明する。
本実施形態のラベル用シート１０は、粘着シート２０の縦横にラベル切り離し用スリット２２を形成することによりラベル２３を構成したものであり、上記実施形態とは異なり、ラベル用シート１０の周縁部にラベル２３以外の余白領域は設けられていない。剥離シート３０には、ラベル２３の図中右寄り位置に、ラベル用シート１０の長辺方向に沿って延びる剥離シート部分除去用スリット３１が、一方の端縁から他方の端縁にかけて上下に延びるように形成されている。このうち、シート１０の中央部側の剥離シート部分除去用スリット３１の一方（図中、上部）の端縁近傍は、縦（上下）に延びるラベル切り離し用スリット２２に向かう傾斜部３４とされており、その傾斜部３４の上端において縦のラベル切り離し用スリット２２と交差する位置に到達している。そして、その交差点から剥離シート３０の上端縁までの間は、スリットが形成されていない破断可能な連続部３５とされている。
さらに、この剥離シート部分除去用スリット３１の図中右側の、横（左右）に延びるラベル切り離し用スリット２２と交差する位置には、剥離シート部分除去用スリット３１に沿った方向に延びる補助スリット３３が形成されている。
【００３５】
次に、本実施形態のラベル用シート１０の作用及び効果について説明する。
図中右側の列のラベル２３を使用する際には、ラベル用シート１０の右上位置から下方に向けて剥離シート３０の一部を剥離シート部分除去用スリット３１によって引き剥がし、粘着シート２０の粘着剤層２１の一部を露出させることにより、ラベル２３を剥離シート３０から剥がし易くする。また、図中左列のラベル２３を使用する際には、ラベル用シート１０の長辺方向に延びるラベル切り離し用スリット２２の両側を指で摘んでラベル切り離し用スリット２２を開くようにして引っ張ると、剥離シート３０の連続部３５が破断され、その勢いで傾斜部３４が切り離され、さらに剥離シート部分除去用スリット３１に沿って剥離シート３０の一部が除去される。これにより粘着シート２０の粘着剤層２１の一部が露出され、ラベル２３を剥離シート３０から剥がし易くなる。
【００３６】
このように、ラベル用シート１０の周縁部にラベル２３以外の余白領域が設けられていない場合でも、ラベル２３の一部を破ることなく、剥離シート３０の一部を除去することができる。
＜他の実施形態＞
本発明は上記記述及び図面によって説明した実施形態に限定されるものではなく、例えば次のような実施形態も本発明の技術的範囲に含まれる。
【００３７】
（１）上記した実施形態では、同じ長さの補助スリットを等間隔で設ける構成としたが、長さや間隔は自由に設定することができる。また、補助スリットは、上記実施形態のように断続的でなく、連続的に形成してもよい。
【００３８】
（２）上記第３実施形態では、傾斜部３４を直線状としたが、曲線状としてもよい。
（３）また、上記各実施形態では、剥離シート部分除去用スリットはシートの右端寄りに設けたが、これに限らず、シートの左端寄りに設けてもよく、その場合においてミシン目１１を剥離シート部分除去用スリットからずらして設けるときには、右寄りにずらすことが望ましい。
（４）また、いずれのタイプの実施形態にあっても、ラベルが３列以上形成されるようにラベル切り離し用スリットを設けてもよい。
【図面の簡単な説明】
【００３９】
【図１】第１実施形態のラベル用シートの平面図
【図２】第１実施形態のラベル用シートの部分拡大平面図
【図３】第１実施形態において、ミシン目を切り離して剥離用シートを剥がし取る際のラベル用シートの部分拡大斜視図
【図４】第１実施形態において、剥離用シートを剥がし取った後のラベル用シートの平面図
【図５】第２実施形態のラベル用シートの部分拡大平面図
【図６】第２実施形態において、ミシン目を切り離して剥離用シートを剥がし取る際のラベル用シートの部分拡大斜視図
【図７】第３実施形態のラベル用シートの平面図
【図８】第３実施形態のラベル用シートの部分拡大平面図
【図９】第３実施形態のラベル用シートを剥離シート側から見た部分拡大断面図
【図１０】従来のラベル用シートの平面図
【図１１】従来において、ミシン目を切り離して剥離用シートを剥がし取る際のラベル用シートの部分拡大斜視図
【図１２】従来において、剥離用シートを剥がし取った後のラベル用シートの平面図
【図１３】従来においてラベルの一部が破れた状態の部分拡大斜視図
【符号の説明】
【００４０】
１０…ラベル用シート
１１…ミシン目
２０…粘着シート
２１…粘着剤層
２２…ラベル切り離し用スリット
２３…ラベル
３０…剥離シート
３１…剥離シート部分除去用スリット
３２…補助スリット
３３…補助スリット
３４…傾斜部
３５…連続部
【図１】
0004730665.tif 000002
【図２】
0004730665.tif 000003
【図３】
0004730665.tif 000004
【図４】
0004730665.tif 000005
【図５】
0004730665.tif 000006
【図６】
0004730665.tif 000007
【図７】
0004730665.tif 000008
【図８】
0004730665.tif 000009
【図９】
0004730665.tif 000010
【図１０】
0004730665.tif 000011
【図１１】
0004730665.tif 000012
【図１２】
0004730665.tif 000013
【図１３】
0004730665.tif 000014